(57)【特許請求の範囲】
【請求項１】
通信用のＬＡＮインタフェース部と、
このＬＡＮインタフェース部によって受信された映像情報などをデコードする信号処理部と、
デコードされた映像情報を、同期信号が付加された映像信号に再構築し、コンポジット信号又はセパレート信号を生成する映像信号用エンコード部と、
上記映像信号用エンコード部より出力されたコンポジット信号又はセパレート信号が供給される出力端子と、
を有し、
前記ＬＡＮインタフェース部は、ＯＳＩ参照モデルのうちで、同一のＬＡＮ回線に前記映像情報の送信装置が存在するか否かに応じたプロトコルおよびストリーム種別で送信が行われるように通信処理条件を設定し、当該通信処理条件を前記送信装置に送信する、受信装置。
【請求項２】
前記ＬＡＮインタフェース部は、前記同一のＬＡＮ回線に接続された機器に対してブロードキャストパケット信号を送信し、
前記ブロードキャストパケット信号に対する返信に基づいて前記同一のＬＡＮ回線に前記送信装置が存在するか否かが判断される、請求項１に記載の受信装置。
【発明の詳細な説明】
【技術分野】
【０００１】
本発明は、映像機器などが設置されている場所とは別の場所、あるいは外出先に設置されたテレビ受像機を利用して、映像機器からの映像情報を視聴できるようにした視聴システムに適用できる受信装置に関する。
【０００２】
詳しくは、受信した映像情報をデコードしてコンポジット信号又はセパレート信号を出力することで、受信した映像を既存のテレビ受像機を利用して視聴できるようにしたものである。
【背景技術】
【０００３】
映像表示部付きの端末装置を外出先に携帯して、自宅に設置された映像機器などを制御して、例えばテレビチューナで受信した放送を、インターネットなどのネットワーク回線を介してリアルタイムで視聴できる視聴システム（情報送受信システム）が開発されている（例えば特許文献１）。
【０００４】
端末装置としては、専用のモニタの他、ノートパソコンのようなパーソナルコンピュータ（ＰＣ）や、映像端末表示装置（プレーステーションポータブルＰＳＰ（商標））などが利用される。映像機器としては、テレビチューナの他に、ＤＶＤ、ＶＴＲ、ＳＴＢ（セットトップボックス）などが挙げられる。これらの外部映像機器は、室内に設置された送信装置によって制御される。
【０００５】
インターネット経由で外出先（赴任先や滞在先）の端末装置から送信装置をアクセスすることで、送信装置自体の制御と、外部映像機器の制御が行われる。これにより、ＤＶＤなどを制御して録画された映像などを外出先で楽しむことができる他、送信装置に内蔵されたチューナを制御して、選局された放送番組を外出先に送信することで、リアルタイムでその放送番組を楽しむことができる。
【０００６】
端末装置を送信装置が置かれた場所とは異なる場所例えば、外部映像機器と送信装置とを１階に置き、２階で端末装置を利用するような使用態様も考えられる。１階に置かれたテレビ受像機を家族が視聴していたり、外部映像機器を再生してテレビ受像機で観戦しているような場合でも、この視聴システムを利用すれば映像を見ることができる。例えば２階の自室に端末装置を持ち込み、１階に設置した送信装置を制御することでこの端末装置でも、テレビ受像機や外部映像機器からの再生映像を視聴できるからである。
【先行技術文献】
【特許文献】
【０００７】
【特許文献１】特開２００５−３９７８１号公報
【発明の概要】
【発明が解決しようとする課題】
【０００８】
ところで、上述した表示部を備えた端末装置にあっては、利便性を考慮すると、携帯性に優れたものでなければならないので、どうしても表示部の画面サイズが小さくなってしまう。画面サイズが小さいと、臨場感に欠けた映像となり、充分な満足感が得られないことはよく経験することである。据え置きのテレビ受像機の場合には、殆どの場合、端末装置よりもその画面サイズが大きいので、そのような問題を払拭できる。
【０００９】
外出先などに設置されたテレビ受像機を映像表示手段として利用する場合には、上述した端末装置に代わって、映像情報の中継装置として機能する受信装置を設ければよい。受信装置は、自宅では送信装置とテレビ受像機との間に、外出先では外出先のＬＡＮ回線とテレビ受像機との間に、それぞれ設置されることになる。受信装置は表示部が省かれた携帯機器であるので、外出先まで容易に携帯できることは言うまでもない。
【００１０】
このように、送信装置やテレビ受像機を移動させることなく、自宅の別の場所や、あるいは外出先で、送信装置で選局した放送番組をリアルタイムで視聴したり、送信装置に接続された外部映像機器からの再生映像を、充分な画面サイズを有するテレビ受像機で視聴できるような、中継装置として機能する受信装置があれば非常に便利である。
【００１１】
そこで、この発明はこのような課題を解決したものであって、特にＬＡＮ回線を介して受信した映像情報を、テレビ受像機で視聴できる信号形態に変換して出力できる受信装置を提案するものである。
【課題を解決するための手段】
【００１２】
上記課題を解決するために、本発明のある観点によれば、通信用のＬＡＮインタフェース部と、このＬＡＮインタフェース部によって受信された映像情報などをデコードする信号処理部と、デコードされた映像情報を、同期信号が付加された映像信号に再構築し、コンポジット信号又はセパレート信号を生成する映像信号用エンコード部と、上記映像信号用エンコード部より出力されたコンポジット信号又はセパレート信号が供給される出力端子と、を有し、前記ＬＡＮインタフェース部は、同一のＬＡＮ回線に前記映像情報の送信装置が存在するか否かに応じた通信処理条件を前記送信装置に送信する、受信装置が提供される。
【００１３】
前記ＬＡＮインタフェース部は、前記同一のＬＡＮ回線に接続された機器に対してブロードキャストパケット信号を送信し、前記ブロードキャストパケット信号に対する返信に基づいて前記同一のＬＡＮ回線に前記送信装置が存在するか否かが判断されてもよい。
【００１４】
上記構成は、映像機器などが設置されている場所とは別の場所あるいは外出先にそれぞれ設置されたテレビ受像機を利用して、映像機器からの映像情報を視聴できるようにした視聴システムに適用できる。
【００１５】
この視聴システムでは受信装置がアクセスするための送信装置が使用される。送信装置にはそれ自身にテレビチューナ（地上アナログ波用チューナなど）を備えると共に、外部映像機器の入力端子を備えている。送信装置では、これらの映像入力が切り替えられて送信装置から出力される。
【００１６】
受信装置では、送信装置から送出された映像情報をデコードして、コンポジット信号又はセパレート信号からなるテレビジョン信号に再構築する。送信装置からは、映像情報（音声情報も含む。以下同じ）が、ＭＰＥＧ方式によって圧縮符号化された上でパケット化されて送信される。
【００１７】
映像情報に、この映像情報を制御するための情報（複製制御情報などの付随情報）が付加されているときは、この付随情報も映像情報と共に送信され、デコードされたテレビジョン信号（コンポジット信号又はセパレート信号）に挿入付加される。
【００１８】
映像情報は、ＬＡＮ回線を経由して受信したり、インターネット回線のようなネットワーク回線を経由して受信したものを対象とする。
【００１９】
このようにＬＡＮ回線やインターネット回線経由で受信した映像情報をデコードしてテレビジョン信号を生成できれば、このテレビジョン信号を既存のテレビ受像機に供給して映像を楽しむことができる。つまりテレビ受像機を映像表示手段としても利用できる。この場合、別室などに送信装置やテレビ受像機などを持ち運ばなくても、映像を視聴できる。
【００２０】
映像を表示するための表示部（モニタ画面）や、映像を蓄積するための手段などが搭載されていないため、小型化や携帯性に優れている。そのため、この種受信装置を安価に提供できると共に、外出するときでも簡単に携帯できる。
【００２１】
視聴システム専用のモニタや、専用モニタとして機能するパーソナルコンピュータなどの端末装置を利用しても、受信した映像を楽しむことができるが、これらの端末装置に備えられた表示部の画面サイズは一般に小さいので、受信映像を十分に楽しむことができない。自宅や外出先（宿泊先や赴任先など）のテレビ受像機を映像表示手段としても利用できれば、画面サイズが大きい場合が多いので、満足できる映像を見ることができる。
【発明の効果】
【００２２】
この発明では、受信した映像情報をデコードしてコンポジット信号又はセパレート信号が出力されるようにしたものである。これによれば、受信した映像を既存のテレビ受像機を利用して視聴できる。映像を表示するための表示部（モニタ画面）や、映像を蓄積するための手段などが搭載されていないため、小型化や携帯性に優れた受信装置を提供できる。
【図面の簡単な説明】
【００２３】
【図１】この発明を適用できる情報送受信システムの実施の形態を示す系統図である。
【図２】受信装置などを制御するためのリモートコントローラの操作ボタン例を示す平面図である。
【図３】この発明を適用できる情報送受信システムの他の実施の形態を示す系統図である。
【図４】送信装置の実施の形態を示す要部の系統図である。
【図５】受信装置の実施の形態を示す要部の系統図である。
【図６】受信装置と送信装置との通信方法を示すフローチャートである。
【図７】外出先エリアモードでの画面表示例を示す。
【図８】付随情報の判別処理例を示すフローチャートである。
【発明を実施するための形態】
【００２４】
続いて、この発明に係る受信装置の好ましい実施例を図面を参照して詳細に説明する。
【００２５】
（情報送受信システムについて）
この発明は、情報の送受信システムに適用できる。情報の送受信システムとは図１に示すように、情報の送信装置２０と、その受信装置５０とからなり、受信装置５０で受信した情報は映像表示手段として機能する既存のテレビ受像機６０によって表示される。送信装置２０が自宅の１階に設置されているときは、テレビ受像機６０や受信装置５０は同じ階の別の部屋か、別の階に設置され、送信装置２０から離れた状態で情報の送受信が行われる。
【００２６】
送信装置２０と受信装置５０との間は、有線通信か無線通信によって結ばれる。何れも、ＩＥＥＥ８０２．３規格に準拠した有線ＬＡＮまたはＩＥＥＥ８０２．１１ａ／ｂ／ｇ規格に準拠した無線ＬＡＮによって通信が行われる。図１には送信装置２０と受信装置５０との間が無線ＬＡＮ回線Ｌａによって接続された例と、送信装置２０にルータ８０が接続され、ルータ８０と受信装置５０とがＬＡＮケーブルＬｂによって接続されることで、送信装置２０と受信装置５０とが有線ＬＡＮ回線によって結ばれた例をそれぞれ示す。そのため、送信装置２０と受信装置５０には、それぞれ上述したＬＡＮインタフェース部（後述する）を備える。
【００２７】
送信装置２０は受信装置５０からの制御信号によって制御される。受信装置５０はリモートコントローラ９０により制御される。制御すべき情報はテレビ受像機６０に映し出された項目を選択することによって行われる。テレビ受像機６０に表示する項目の内容など、表示制御用のソフトウエアは受信装置５０に保存されており、リモートコントロール信号によってソフトウエアの選択および表示項目（メニューなど）の選択などが行われる。
【００２８】
情報の送信装置２０は、後述するようにテレビチューナを内蔵する。外部のアンテナ２２で受信されたテレビジョン信号（例えば地上波アナログテレビジョン信号）は内蔵のテレビチューナに供給される。チャンネルの選局は受信装置５０からの選局信号によって行われる。チャンネルの選局はしたがってリモートコントローラ９０側から行う。
【００２９】
送信装置２０はまた外部入力端子２６を有する。外部入力端子２６には映像機器（外部映像機器）２７が接続される。外部映像機器２７は、ＤＶＤ、ＶＴＲ、ＳＴＢなどが考えられる。図１は、ＤＶＤを接続した場合であって、ＤＶＤ２７に対する再生制御などは送信装置２０経由で受信装置５０側から制御される。図１では１つの外部入力端子が例示されているが、複数のビデオ入力が受け付けられるように設置する外部入力端子数は任意である。送信装置２０からＤＶＤ２７を制御するため、制御信号（リモートコントロール信号）を出射するための機器制御素子４４がＤＶＤ２７の受光部近くにセットされる。
【００３０】
送信装置２０によって映像情報が送信に適した形式の送信情報に変換される。例えば、ＭＰＥＧ方式によって映像情報（音声情報を含む。以下同じ）が圧縮符号化されたのちそのエレメンタリーストリーム（ＥＳ）が暗号化された上でパケット化されて送信される。パケット情報の送信は有線か無線である。有線送信に対し、無線送信の場合は二重の暗号化が行われる。情報の秘匿性を高めるためである。暗号化は、ＤＥＳ（Data Encryption Standard）方式、ＡＥＳ（Advanced
Encryption Standard）方式、ＷＥＰ（Wired Equivalent Privacy）方式、その他の暗号化方式を利用する。
【００３１】
送信装置２０と受信装置５０との通信が確立してから、パケット情報の送信が行われる。受信装置５０は、受信したパケット情報をデコード処理して、テレビジョン信号を生成する。そのため、ＭＰＥＧデコーダ（後述する）によって伸長復号処理される。復号処理された情報のうち、音声情報はアナログ変換されてアナログ音声信号となされてから受信装置５０の出力端子に供給される。
【００３２】
復号された映像情報は、さらにテレビジョン方式に則ったエンコード処理が行われて同期信号を含めたＮＴＳＣ方式あるいはＰＡＬ方式のテレビジョン信号に再構築された上で受信装置５０の出力端子に供給される。
【００３３】
送信装置２０からの送信情報の中に、映像情報と共に、この映像情報を制御するための付随情報が含まれているときはその処理情報も同時に送信する。付随情報とは、コピーガード情報であって、複製制御情報としてのＣＧＭＳ（Copy Generation Management System）や、マクロビジョン情報などである。
【００３４】
これらの付随情報が映像情報と共に受信されたときは、この付随情報を解読して元の付随情報に戻してから映像信号に挿入付加される。この種付随情報は一般に垂直ブランキング期間に挿入されているので、垂直ブランキング期間の所定の水平周期にこれら付随情報が挿入される。
【００３５】
テレビジョン信号としてはコンポジット信号とセパレート信号の双方が出力される。そのため、受信装置５０にはコンポジット信号用の出力端子（映像・音声端子）と、セパレート信号用の出力端子（いわゆるＳ端子）とが用意されている。受信装置５０で受信したテレビジョン信号中に付随情報が含まれているときは、これら出力端子に得られるテレビジョン信号（コンポジット信号やセパレート信号）中にも付随情報が挿入付加された状態で出力される。これは、出力端子をコピー機（ＶＴＲやＤＶＤなど）に接続してコピーするとき、付随情報に応じたコピー制御などを実行できるようにするためである。
【００３６】
受信装置５０の出力端子とテレビ受像機６０との間は専用のケーブル６１によって接続され、リモートコントローラ９０からの制御情報の表示、受信した映像の表示が行われる。
【００３７】
また、図１に示すようにルータ８０にはモデム１００を介してネットワーク回線（インターネット回線）１１０が接続される。モデム１００は、ＡＤＳＬやＩＳＤＮ用モデムや、光ファイバー用のモデムなど、使用環境に応じたモデムが選択使用される。
【００３８】
図１の構成とすることによって、リモートコントローラ９０を用いて受信装置５０および送信装置２０経由でインターネット回線１１０に接続されたＷｅｂサーバ（図示はしない）にアクセスできる。Ｗｅｂページの情報を取得してテレビ受像機６０に表示できる。
【００３９】
あるいはテレビ受像機６０の画面にソフトウエアキーボードを表示して、メールを作成し、メールサーバ（図示はしない）にアクセスしてメールを送信したり、メールを受信してその内容をテレビ受像機６０に表示するなどの情報の送受信を行うことができる。
【００４０】
この情報送受信システム１０によって例えば、送信装置２０で受信した放送番組を、送信装置２０とは別の部屋に設置されているテレビ受像機６０でリアルタイムに視聴することできるようになる。Ｗｅｂページをアクセスして各種情報を取得することもできる。
【００４１】
（リモートコントローラ９０について）
図２は上述した処理を実現するためのリモートコントローラ９０の一例を示す。リモートコントローラ本体９１には、テレビ受像機６０自体の電源や音量などを制御するための操作ボタン系９２と、受信装置５０および受信装置５０を介して送信装置２０などを制御する操作ボタン系９３があり、本体中央よりも下側にカーソルキー（矢印表示）や、決定ボタン９５などが配されている。リモートコントロール信号は赤外線（ＩＲ）が利用される。
【００４２】
一方の操作ボタン系９２にあって、テレビ受像機６０用の電源のオンオフを制御するボタンがある。入力切換えボタンはテレビ受像機側の入力切換えを行うときに使用されるボタンであり、音量は＋、−ボタンで調整される。消音ボタンによって音を一時的に消音できる。
【００４３】
他方の操作ボタン系９３にあって、入力切換えボタンは、送信装置２０に設けられた入力選択部を制御するためのボタンであり、画面表示用のボタンは、現在の受信装置５０の動作状態や、外部映像機器２７の動作状態がテレビ受像機６０の画面上部にバー表示される。設定用のボタンは、設定画面をテレビ受像機６０の画面に表示するときに使用するボタンである。画面リモコン用のボタンは、テレビ受像機６０の画面に表示された項目を、カーソルキーを用いて選択するときに使用するボタンである。
【００４４】
オプションボタンによって送信装置２０との回線接続処理の他に、テレビ受像機６０や送信装置２０側のビデオなどの映像や音声などを調整したりする処理を、カーソルキーと併用することで実行される。カーソルリモコンボタンは、送信装置２０に接続された外部映像機器２７に対する表示メニュー（テレビ受像機６０に表示）をダイレクトに選択するときに使用されるボタンである。戻るボタンは、１つ前の画面に戻るときに使用される。
【００４５】
テレビ受像機６０には、図示はしないが、送信装置２０との接続状態を示すアイコンが表示される。無線ＬＡＮによる回線接続状態（接続および接続不可）、有線ＬＡＮによる回線接続状態（接続および接続不可）、送信装置２０に対する接続状態などが対応するアイコンによって表示される。
【００４６】
（送信装置２０について）
図３は情報送受信システム１０の他の使用形態例を示す。この例は、滞在先や赴任先などの外出先での使用例である。
【００４７】
図３においては、便宜的に自宅エリア１２０と外出先エリア１３０とに分けて説明する。自宅エリア１２０は上述したように送信装置２０と、これに接続された外部映像機器２７と、さらにインターネット回線１１０に接続するためのルータ８０およびモデム１００からなる。自宅エリア１２０には複数の受信装置５０やテレビ受像機６０を設置できる。
【００４８】
外出先エリア１３０としては、インターネット回線１１０に接続するためのモデム１４０、モデム１４０に接続するためのＬＡＮ回線用のルータ１５０およびテレビ受像機６０である。このテレビ受像機６０を利用して映像を楽しむ場合には、アクセスポイントとして機能するルータ１５０と、テレビ受像機６０との間に単一若しくは複数の受信装置５０がＬＡＮ回線を介して接続される。ＬＡＮ回線への接続は図のようにＬＡＮケーブルＬｃを利用してルータ１５０と受信装置５０とを接続する有線ＬＡＮによる場合と、無線ＬＡＮＬｄによって受信装置５０とルータ１５０とを接続する場合とが考えられる。
【００４９】
受信装置５０を起動してインターネット回線１１０を経由して自宅エリア１２０側に設置された送信装置２０にアクセスして、受信装置５０との通信を確立させてから、映像などの送信媒体を選択する。例えば、送信装置２０に内蔵されたチューナを制御する。チューナによって選局した現在放送中の放送番組情報がインターネット回線１１０経由で受信装置５０に送られる。これで外出先のテレビ受像機６０を利用してリアルタイムで現在放送中の放送番組を視聴できる。
【００５０】
自宅エリア１２０の外部映像機器２７を制御することで、例えばＤＶＤより再生された映像を視聴できる。インターネット回線１１０に接続されたＷｅｂサーバをアクセスしたり、メールの作成および送受信処理なども可能である。
【００５１】
なお、外出先に携帯される受信装置５０は、自宅エリア１２０内で使用している受信装置である場合と、これらとは別個の受信装置である場合とが考えられるが、自宅エリア１２０内で使用されているのとは別の受信装置５０を携帯する場合でも送信装置２０をアクセスできるように初期設定される。
【００５２】
図４は送信装置２０の実施の形態を示す。送信装置２０は映像入力部２０Ａと、入力された映像を送信に適したデータ形式に変換する信号処理部２０Ｂと、ＬＡＮインタフェース部２０Ｃと、これら映像入力部２０Ａ、信号処理部２０Ｂ、ＬＡＮインタフェース部２０Ｃおよび外部映像機器２７をそれぞれ制御するための制御部２０Ｄとで構成される。
【００５３】
映像入力部２０Ａにあって、アンテナ２２で受信されたテレビジョン信号、例えば地上アナログテレビジョン信号（以下テレビジョン信号という）は入力端子２３を経てチューナ２４に供給され、チューナ２４で希望の放送局が選局される。選局されたチャンネルの放送番組は信号選択部２５に供給される。
【００５４】
他方の入力端子２６には外部映像機器２７が接続される。外部映像機器２７としてはＤＶＤ、ＶＴＲ、ＳＴＢなどが考えられる。図４はＤＶＤ２７が接続されている。ＤＶＤ２７で再生された映像情報（音声情報を含む）は入力端子２６を経てＡＶ入力部２８に供給されて映像情報部分（映像信号であれば有効画素部分）と、ブランキング部分とに分離される。
【００５５】
映像情報部分は信号選択部２５に供給され、ブランキング部分はＡ／Ｄ変換部２９に供給されてデジタル信号に変換されたあと、制御部２０Ｄに供給される。ブランギング部分は水平ブランキング期間と垂直ブランキング期間の双方を含む。
【００５６】
ＡＶ入力部２８において、ブランキング部分とそれ以外の部分に分離したのは、ＤＶＤ２７などから出力された映像情報には、そのブランキング期間にこの映像情報を制御するための付随情報が挿入付加されている場合があるので、付随情報が付加されているときは、この付随情報とそれ以外の情報を切り離して信号処理するためである。
【００５７】
付随情報とは、コピーガード情報や、画面サイズを切り替えるためのワイド検出信号などが考えられる。コピーガード情報は、再生された映像情報に対してコピー（記録）できるコンテンツであるのか、ライトワンスか、それともコピー禁止であるのかを示す情報である。コピーガード情報としては、複製制御情報であるＣＧＭＳや、マクロビジョン(Macrovision)などが考えられる。
【００５８】
信号選択部２５ではテレビジョン信号と映像情報部分（以下映像情報という）の選択が行われ、選択された何れかの映像情報は信号処理部２０Ｂに供給される。信号処理部２０Ｂは、制御部２０Ｄの制御に基づいて、伝送に適した信号形態（データ形式）に変換するために設けられたもので、この例ではＭＰＥＧ−２やＭＰＥＧ−４方式によるデータ圧縮形式を用いて信号処理される。したがってこの信号処理部２０ＢはＭＰＥＧエンコーダ部（以下ＭＰＥＧエンコーダ部という）として機能する。
【００５９】
映像情報は圧縮・符号化部３１において、デジタル変換処理および圧縮・符号化処理が行われてＭＰＥＧ方式に則った映像および音声のエレメンタリーストリームＥＳとなされる。映像エレメンタリーストリームおよび音声エレメンタリーストリームは次の暗号化部３２において暗号化処理される。
【００６０】
暗号化方式としては、上述したようにＤＥＳ方式、ＡＥＳ方式、ＷＥＰ方式などが考えられる。有線ＬＡＮの場合には、ＤＥＳ方式、ＡＥＳ方式の暗号化方式のうちの何れかが採用されるのに対して、無線ＬＡＮによる通信の場合には、秘匿性を考慮して例えば、ＡＥＳ方式によって暗号化した上でさらにＷＥＰ方式による暗号化を行う二重暗号化が採用されている。そのため、有線ＬＡＮによる通信か、無線ＬＡＮによる通信かによって暗号化部３２での暗号化処理が選択される。
【００６１】
暗号化された映像エレメンタリーストリームおよび音声エレメンタリーストリームはパケット生成部３３に供給されて所定のプロトコルにしたがったパケット処理が行われる。
【００６２】
パケット生成処理は、受信装置５０が図３に示す自宅エリア１２０として使用されているモード（自宅エリアモードという）と、外出先エリア１３０として使用されているモード（外出先エリアモードという）とによって相違する。
【００６３】
自宅エリアモードの場合には、パケット化された複数のエレメンタリーストリームＰＥＳ（Packetized Elementary Stream）を使用して生成されたプログラムストリームＰＳ（ＭＰＥＧ−ＰＳ）を、ＯＳＩ参照モデルのＵＤＰ／ＩＰ（User Datagram Protocol/Internet Protocol）プロトコルに規定されたフォーマットとなるようなパケットとして生成される。プログラムストリームとするのは、エラーの可能性が低い環境（自宅内）で使用されるためである。また、このときの伝送レートは高ビットレート（１０Ｍｂｐｓ程度）が確保される。
【００６４】
また、外出先エリアモードの場合には、パケット化された複数のエレメンタリーストリームＰＥＳを使用して生成されたトランスポートストリームＴＳ（ＭＰＥＧ−ＴＳ）を、ＯＳＩ参照モデルのＲＴＰ／ＩＰ（Real-time Transport Protocol/Internet Protocol）プロトコルに規定されたフォーマットとなるようなパケットとして生成される。トランスポートストリームとするのは、エラーが発生しうる環境で使用されるためである。また、このときの伝送レートはインターネットの環境によって相違するが、大凡３００〜５００Ｋｂｐｓ程度となる。
【００６５】
受信装置５０では、パワーオンされたときに受信装置５０で通信できるＬＡＮ回線内に、ネットワーク接続機器である特定の送信装置２０が存在するかどうかの探索処理を行い
、送信装置２０が存在するときは自宅エリアモードと判断することで、送信装置２０に対しては自宅エリアモードでの信号処理するような指示がなされる。
【００６６】
同じく、外出先での使用の場合のように、ＬＡＮ回線（外出先ＬＡＮ回線）内に送信装置２０が存在しないときには外出先エリアモードと判断して、外出先エリアモードでの信号処理を行うような指示がなされる。このモードによる信号処理の指示に基づいて、上述したような信号処理が実行される。
【００６７】
パケット生成部３３では、上述した映像情報の他に、付随情報のパケット処理も行われる。付随情報としては、上例によればコピーガード情報、ＣＧＭＳ情報およびマクロビジョン情報である。映像情報にこの付随情報が付加されていたときは、この付随情報もパケット化されて伝送される。
【００６８】
映像情報に付随情報が付加されているときは、符号化情報生成部３４において、付随情報が付加されたタイミングに、付随情報が符号化される。符号化された付随情報（付随符号化情報）は、パケット生成部３３において上述した情報送受信システムに適用されるフォーマットに基づいたフォーマット処理が行われた後、パケット化される。この付随情報用パケットは、伝送経路でエラーが発生しても対処できるように、ＴＣＰ／ＩＰ（Transmission Control Protocol)プロトコルに規定されたフォーマットのパケットとして生成される。
【００６９】
符号化情報生成部３４では、付随情報が付加された最初のブランキング期間における水平走査期間のタイミングと、付随情報が付加された最後のブランキング期間における水平走査期間のタイミングの２回だけ、付随符号化情報を生成する。付随情報が付加された期間は同じ情報が伝送されるので、情報量の削減を図れるからである。
【００７０】
付随情報は、付随情報が挿入されている期間の全てに亘り、その情報を伝送するのではなく、付随情報の挿入期間の最初と最後のみ付随情報およびこの付随情報に関連した情報のみを伝送する。つまり付随情報を圧縮して伝送する。付随情報の種別を示す情報や、付随情報の開始および終了を示す情報が符号化される。これによって伝送すべき情報量を大幅に削減できる。付随情報の伝送形態（パターン）はこの例に限らず、例えばある一定時間間隔ごとに付随情報を伝送する間欠的な伝送形態でもよい。
【００７１】
ＬＡＮインタフェース部２０Ｃは、有線ＬＡＮインタフェース部３５と無線ＬＡＮインタフェース部３６とを有する。有線ＬＡＮインタフェース部３５にはその入力側にＬＡＮコネクタ３５ａが接続され、その出力が制御部２０Ｄに接続される。同じく無線ＬＡＮインタフェース部３６には送受信用のアンテナ素子３７が接続される。その出力が制御部２０Ｄに接続される。制御部２０Ｄを構成する内部バスにはルータ用の接続コネクタ４６ａを有するインタフェース部４６が接続される。ルータ用インタフェース部４６は有線ＬＡＮインタフェース部３５と兼用することも、もちろん可能である。上述した何れのインタフェース部３５，３６も、この例ではＩＥＥＥ８０２．３またはＩＥＥＥ８０２．１１ａ／ｂ／ｇ規格に準拠したＬＡＮインタフェースによって構成される。
【００７２】
ＬＡＮインタフェース部２０Ｃは受信装置５０との間での通信を行うためのものであり、受信した情報に基づいて、送信装置２０自体の制御の他に、外部映像機器２７の制御や、インターネット回線１１０への接続などが実行される。
【００７３】
制御部２０Ｄは、装置全体の制御を司るＣＰＵを使用した制御手段４０を有し、その内部バスにはメモリコントローラ４１を介してメモリ手段４２が接続される。メモリ手段４２としては、各種の処理プログラムが格納されたＲＯＭとワーキングエリアとして機能するＲＡＭとで構成される。制御部２０Ｄにはさらにリモコン受光部４５からの受光信号が供給される。
【００７４】
制御部２０Ｄからは映像入力部２０Ａを構成するチューナ２４や、信号選択部２５に対する制御信号が生成されると共に、ＡＶ入力部２８に対しても分離信号が供給されて、ブランキング部分とそれ以外の分離処理が行われる。また、コントローラ４３を介してＤＶＤ２７に対するリモートコントロール用の制御信号が生成される。この例ではＤＶＤ２７の受光部近くに取り付けられた、光信号（赤外線）の機器制御素子（発光素子）４４に対してその制御信号が供給される。
【００７５】
さらに、信号処理部を構成するＭＰＥＧエンコーダ２０Ｂに対する自宅エリアモードや外出先エリアモードに対応した制御処理に加え、付随情報が存在するときのパケット生成処理などが実行される。
【００７６】
このＭＰＥＧエンコーダ部２０Ｂで生成された所定のパケットデータは有線ＬＡＮインタフェース部３５あるいは無線ＬＡＮインタフェース部３６を介して自宅エリア１２０内の受信装置５０や、インターネット回線１１０に接続された外出先エリア１３０内の受信装置５０に向けて発信される。さらにはルータ８０を介してインターネット回線１１０に接続されたＷｅｂサーバから情報を入手して受信装置５０に送出するなどのデータ授受処理が行われる。
【００７７】
（受信装置５０について）
図５は受信装置５０の実施の形態を示す。受信装置５０はＬＡＮインタフェース部５０Ａと、ＬＡＮインタフェース部５０Ａで受信した信号を元の信号に戻す信号処理部５０Ｂと、その制御部５０Ｃと、リモートコントロール信号の処理部５０Ｄとで構成される。
【００７８】
ＬＡＮインタフェース部５０Ａは、送信装置２０から送信された情報信号を受信したり、送信装置２０に向けて制御信号などを送信するためのインタフェース部である。この場合のインタフェース部５０Ａも、ＩＥＥＥ８０２．３またはＩＥＥＥ８０２．１１ａ／ｂ／ｇ規格に準拠したＬＡＮインタフェースを構成する。このインタフェース部５０Ａは有線ＬＡＮ用のインタフェース部（イーサネット（登録商標）モジュール）５２と、無線ＬＡＮ用インタフェース部５３を備える。有線ＬＡＮインタフェース部５２にはＬＡＮコネクタ５２ａを有し、無線ＬＡＮインタフェース部５３にはアンテナ素子５４を有する。
【００７９】
これらインタフェース部５２，５３はＰＣＩバスを介して後述する制御部５０Ｃを構成するＣＰＵ７０の内部バスに接続され、インタフェース部５２，５３で受信した情報信号がこのＣＰＵ７０を経由して信号処理部５０Ｂに供給される。
【００８０】
信号処理部５０ＢはＭＰＥＧデコーダ部として機能する。ＭＰＥＧデコーダ部５０Ｂは、内部バスに接続されたＭＰＥＧデコーダ５４と、ＭＰＥＧデコーダ５４より出力された映像データが供給されるビデオエンコーダ５７と、付随符号化情報を復号する付随情報再生部５９とで構成される。
【００８１】
ＭＰＥＧデコーダ５４は、受信した情報信号（データ信号）に含まれる、暗号化およびパケット化されたＭＰＥＧ方式による映像エレメンタリーストリーム（ＥＳ）と音声エレメンタリーストリームに対する復号化処理と、映像エレメンタリーストリームおよび音声エレメンタリーストリームへの伸長および復号処理が行われる。復号された音声エレメンタリーストリームはオーディオ用のＤ／Ａ変換器５５に供給されてアナログ音声信号に戻される。アナログ音声信号は第２の信号合成部５６に供給される。
【００８２】
復号された映像エレメンタリーストリームはビデオエンコーダ（映像信号用エンコード部）５７に供給されて、映像信号のアナログ変換処理と、アナログ映像信号を所定のテレビジョン方式に変換すると共に、コンポジット信号Ｓｃとセパレート信号Ｓｓの２形式で出力する信号処理が行われる。同時に、映像信号には同期信号の付加処理が行われる。テレビジョン方式とはこの例ではＮＴＳＣ方式かＰＡＬ方式を指す。アナログ化された映像信号（コンポジット信号Ｓｃおよびセパレート信号Ｓｓ）は第１の信号合成部５８に供給される。
【００８３】
ＭＰＥＧデコーダ５４でデコードされた付随符号化情報は、付随情報再生部５９に供給されて付随情報が再生されると共に、垂直ブランキング期間の所定の水平周期のとき、付随情報が第１の信号合成部５８に供給される。第１の信号合成部５８では所定の水平周期に供給されたこの付随情報を映像信号に挿入付加して第２の信号合成部５６に供給する。
【００８４】
第２の信号合成部５６では、コンポジット信号Ｓｃにアナログ音声信号が合成されて第１の出力端子（映像・音声端子）６５ａに供給され、またセパレート信号Ｓｓにアナログ音声信号が合成されて第２の出力端子（Ｓ端子）６５ｂに供給される。したがって、受信装置５０で受信したテレビジョン信号中に付随情報が含まれているときは、これら出力端子６５ａ，６５ｂに得られるテレビジョン信号（コンポジット信号やセパレート信号）中にも付随情報が挿入付加された状態で出力される。
【００８５】
制御部５０Ｃは、信号処理を司るＣＰＵ７０を有する。このＣＰＵ７０の内部バスにはメモリコントローラ７１を介してメモリ手段７２が接続される。メモリ手段７２は、ＬＡＮインタフェース部５０Ａで受信した情報信号に対してＭＰＥＧデコード処理を行ったり、付随情報の復号処理をおこなったりするための処理プログラムなどが格納されたＲＯＭと、処理データを一時保存するなどのワーキングメモリとして機能するＲＡＭなどで構成される。なお、この例ではＭＰＥＧデコーダ５０ＢとＣＰＵ７０回り（破線図示）は１チップ化されている。
【００８６】
リモートコントロール信号処理部５０Ｄはリモートコントロール信号受光部７５と、受光されたリモートコントロール信号が供給されるサブマイクロコンピュータ（サブマイコン）７６とで構成される。リモートコントロール信号によって、送信装置２０に対する回線確立処理のための起動処理を始めとして、送信装置２０自身に対する制御処理、外部映像機器２７に対する制御処理などが実行される。そのため、サブマイクロコンピュータ７６ではこれらの処理信号をＣＰＵ７０に受け渡す。
【００８７】
サブマイクロコンピュータ７６には表示コントローラ７７を介して表示部７８が接続される。表示部７８には複数の表示灯が設けられている。図５の例では電源表示灯、有線ＬＡＮ回線が確立しているときに点灯する表示灯（有線ＬＡＮ）、無線ＬＡＮ回線が確立しているときに点灯する表示灯（無線ＬＡＮ）などがある。これら表示灯は何れもＬＥＤが使用される。
【００８８】
上述した受信装置５０にあっては、映像を表示するための表示部（モニタ画面）や、映像を蓄積するための手段などが搭載されていないため、小型化および携帯性に優れている。そのため、この種受信装置５０を安価に提供できると共に、外出するときでも簡単に携帯できる。
【００８９】
（受信装置５０での処理について）
このように構成された情報送受信システム１０における処理例を以下に示す。
図６は受信装置５０と送信装置２０との間での初期設定処理例を示すフローチャートであって、受信装置５０側で行われる処理である。
【００９０】
受信装置５０は図３に示すように自宅エリア１２０内で使用する場合と、外出先エリア１３０内で使用する場合がある。自宅エリア１２０内で使用する場合には自宅内のＬＡＮ回線に送信装置２０が接続されているのに対して、外出先エリア１３０の場合には外出先のＬＡＮ回線には送信装置２０が繋がっていない。送信装置２０の有無で自宅エリア１２０と外出先エリア１３０が峻別される。また、自宅エリア１２０と外出先エリア１３０とでは通信速度が相違したり、データ処理方式が相違するので、初期設定処理では、自宅エリア１２０と外出先エリア１３０にそれぞれ対応した通信処理条件を確保する処理を行う。
【００９１】
そのため、受信装置５０にはこのような通信処理条件を確保して、受信装置の使用場所を気にすることなくネットワークに接続された対象機器（送信装置２０）との通信を行える手段と、対応する初期設定プログラムが装備されている。
【００９２】
その手段とは、第１に、同一のネットワーク回線内に接続された全ての機器に対して、ブロードキャストする送信手段であり、第２に、送信された上記信号に対する返信信号内に特定の機器を識別するための情報（識別子）があるか否かを判別する判別手段であり、第３に、識別子を含む返信信号を受信したときには、同一のネットワーク回線内に上記機器が接続されているもとのとして、上記機器に対する通信条件を設定する手段である。これらに加えて、その手段にはネットワーク接続機器との通信を行うＬＡＮインタフェース部を備える。
【００９３】
続いて、初期設定プログラムに基づく処理例を図６を参照して以下に示す。図６において、受信装置５０の電源がオンされると、この初期設定プログラムが起動され、ＬＡＮ回線（ネットワークエリア）に接続された全ての機器に対して、送信装置２０を確認するためのブロードキャストパケット信号が送信される（ステップ２０１）。初期設定信号はパケット信号である。
【００９４】
ＬＡＮ回線に接続された全ての機器はこのブロードキャストパケット信号（初期設定信号）を受信する。自機が送信装置２０であるときはそのパケット信号に含まれる特定のビットに、自機が送信装置２０であることを示す識別情報（コード若しくはフラグなどの識別子）を挿入して返信する（ステップ２０２）。
【００９５】
ＬＡＮ回線に接続された全ての機器はブロードキャストに対する返信を行う。受信装置５０は返信されたパケット中に送信装置２０であることを示す識別情報（識別子）を含むパケット信号を受信したか否かで送信装置２０の有無を判別する。
【００９６】
ステップ２０２ではブロードキャストパケット信号に対する返信信号の内容を判定し、特定のビットに識別子が挿入されているときは、同じＬＡＮ回線の中に送信装置２０が接続されているものと判断する。ステップ２０２で送信装置２０の存在が確認されたときは、ステップ２０３で送信装置２０に対する初期設定のための通信処理条件（自宅エリア用の通信処理条件）を確保する。
【００９７】
自宅エリア用の通信処理条件としては、第１にＯＳＩ参照モデルのプロトコルを自宅エリアモード用（ＵＤＰ／ＩＰプロトコル）に設定する。第２に、通信速度を設定する。自宅エリアモードのときは高ビットレート（１０Ｍｂｐｓ程度）に設定される。第３に、受信装置５０側の画面サイズを設定する。ビットレートなどの設定を行うため、このステップ２０３は能力交換処理ステップとも言える。
【００９８】
初期設定情報としての通信処理条件を確保した後は送信装置２０との間での通信を行い、通信が確立したときは確保した（保存した）通信処理条件を示す各情報若しくは対応する設定フラグが送信装置２０側に送信される（ステップ２０４）。送信装置２０ではこの通信処理条件を示す情報や設定フラグに基づいて、指定されたプロトコルに基づいてＭＰＥＧ方式による信号処理が実行されることになる。
【００９９】
ステップ２０２で識別子を含む返信信号が存在しないと判断されたときは、同じＬＡＮ回線の中に送信装置２０が接続されていないものと判断する。つまり、この場合は受信装置５０は外出先エリア１３０からの初期設定処理と判断する。そのため、この場合には外出先から送信装置２０を制御するために必要な設定画面がテレビ受像機６０に表示される（ステップ２０５）。
【０１００】
この設定画面では、送信装置２０が複数存在することを考慮して、どの送信装置２０に対して通信を行うかの選択を行う。例えば図７のような設定画面が表示され、特定の送信装置２０が指定される。送信装置２０を指定してから、指定した送信装置２０に並んで表示された「接続」キーを押すことで、インターネット回線への接続処理の待機状態となる。
【０１０１】
その後、ステップ２０６で通信処理条件の確保処理が行われる。受信装置５０は外出先であるので、この場合は外出先エリアモードとなり、外出先エリアモード用の通信処理条件が確保される。第１に、ＯＳＩ参照モデルのプロトコルを外出先エリアモード用（ＲＴＰ／ＩＰプロトコル）に設定する。第２に、通信速度をインターネット回線に合わせる。第３に、受信装置５０側の画面サイズを設定する。
【０１０２】
このような通信処理条件を表す情報が確保されてから、インターネット回線１１０への接続待機状態が解禁される（ステップ２０７）。これによってインターネット回線１１０経由で送信装置２０との通信が行われ、送信装置２０側ではこの初期設定情報に基づいた信号処理に変更される。
【０１０３】
このように受信装置５０の電源をオンしたときに自宅ＬＡＮ回線に送信装置２０が接続されているかどうかを自動的に確認することで、それぞれの使用エリアに合った信号処理を自動的に設定できる。上述した通信処理条件は一例であり、その設定項目数も例示に限られない。
【０１０４】
（付随情報の判別処理について）
図８は、付随情報の判別処理例を示すフローチャートである。付随情報の有無を表す変数を、「ＦＬＡＧ」として表したとき、図８に示すフローチャートではまずこの変数ＦＬＡＧをリセット（＝０）する（ステップ２１０）。変数ＦＬＡＧをリセット（ＦＬＡＧ＝０）してから垂直同期信号VSyncを検知する（ステップ２１１）。
【０１０５】
この最初の垂直同期信号が検出されたときには、水平同期信号用のカウンタのカウント数Ｃをリセットし（Ｃ＝０）（ステップ２１２）、リセット処理が終了すると水平同期信号が検出されるまで待機状態となる（ステップ２１３）。水平同期信号が検出されると、カウント数Ｃを「１」だけインクリメントする（ステップ２１４）。このカウント処理は水平同期信号Ｈの数が所定数（例えば、Ｃ＝１０）となるまで継続される（ステップ２１５）。これは付随情報は垂直ブランキング期間の１０番目の水平同期信号から１７番目の水平同期信号までの間に挿入されているからである。
【０１０６】
カウント数Ｃが所定数（＝１０）となったその水平走査期間に付随情報の存在を確認する（ステップ２１６）。この１０番目の水平走査期間に付随情報の存在が確認されなかったときには、変数ＦＬＡＧを初期状態のままにして（ステップ２１７）、付随情報の存在の確認処理を続行する。つまり、水平同期信号Ｈの数が１８を越えるまでは付随情報の存在の確認処理が継続される（ステップ２１８，２１３）。
【０１０７】
水平同期信号Ｈの数が１８を越えると、ステップ２１０に遷移し、再び次の垂直同期信号の到来を検知する。なお、映像情報に付随情報が挿入されているときは、最初の垂直ブランキング期間からこの付随情報が挿入されているのが普通であるから、付随情報の存在が確認されないときは、次の映像ソースに切り替えられるまでは、同じ処理が繰り返されることになる。
【０１０８】
再び垂直ブランキング期間が到来し、垂直同期信号が検出されたときも（ステップ２１１）、水平同期信号Ｈのカウント数をリセットした状態でステップ２１２以降の処理が続行される。そして水平同期信号数が所定数となったときで（Ｃ＝１０）、その水平走査期間内に付随情報の存在が確認されたときには（ステップ２１６）、ステップ２２０に進む。
【０１０９】
ステップ２２０では変数ＦＬＡＧの状態が判別され、ＦＬＡＧ＝０であるときには、これを反転処理（ＦＬＡＧ＝１）してからパケット生成処理を行うための付随符号化処理に移行する（ステップ２２１，２２２）。この付随符号化処理は、図４における付随符号化処理のことであって、付随情報の種別を示すコード情報と、付随情報に応じたコード情報と、付随情報の開始を示すコード情報（フラグＦ＝１）の各符号化処理である。上述したように符号化された付随符号化情報はＭＰＥＧエンコーダ部５０Ｂにおいてパケット化処理が行われる。
【０１１０】
そのときの水平同期信号Ｈのカウント数Ｃは「１８」未満であるので（ステップ２１８）、ステップ２１３に戻り、水平同期信号Ｈの検出モードに遷移する。そして次の水平同期信号Ｈが検出され、その水平走査期間に挿入された付随情報が検出されたときには（ステップ２１３〜２１６）、変数ＦＬＡＧの状態が判別される（ステップ２２０）。直前の水平走査期間に付随情報の挿入が検出されているので、変数ＦＬＡＧは、ＦＬＡＧ＝１となっている。そのため、２度目に検出された付随情報によっては付随符号化処理はなされず、そのままスルーしてステップ２２０からステップ２１８に進む。この処理は付随情報の挿入が検出されなくなるまで続く。
【０１１１】
このように１０番目の水平走査期間に付随情報が検出されることで付随情報に関する付随符号化処理が行われるが、それ以降は行われない。同じ付随情報に対して同じ符号化処理を行うのは伝送情報量を削減する上から好ましくないからである。
【０１１２】
さて、水平同期信号Ｈのカウント数Ｃが「１８」を越えると、もはや次の水平走査期間には付随情報が挿入されていないので、その場合はステップ２１６で付随情報の不存在が確認されると共に、その後ステップ２１７において変数ＦＬＡＧの状態が確認される（ステップ２１７）。変数ＦＬＡＧは、ＦＬＡＧ＝１のままであるので、この場合には変数ＦＬＡＧの反転処理（ＦＬＡＧ＝０）がなされる（ステップ２３０）。その後、付随符号化処理が実行される（ステップ２３１）。この場合の付随符号化処理は、付随情報の種別を示すコード情報と、付随情報に応じたコード情報と、付随情報の終了を示すコード情報（フラグＦ＝０）の各符号化処理である。
【０１１３】
このように付随情報が検出されたときには、付随情報の内容に応じた符号化処理と、付随情報の開始および終了を示すコード情報（フラグＦ）などが符号化処理される。受信装置５０側ではこの付随符号化の内容を解読することで、付随情報が存在するときはその付随情報が所定の水平走査期間に、元の数だけ映像信号に挿入されて出力されてから、付随情報が挿入された元の映像信号に復元することができる。付随情報を圧縮して伝送することで、付随情報の伝送量を大幅に削減できる。
【０１１４】
上述した情報送受信システム１０では、送信装置２０が置かれたところとは別の場所に設置されているテレビ受像機６０を使用して送信装置２０自身に内蔵されたチューナ２４で選局された放送番組をリアルタイムで視聴できる他、この送信装置２０に接続された外部映像機器２７よりの再生映像情報を視聴できる。赴任先などの外出先からでもインターネット回線１１０経由で送信装置２０を制御できるため、上述したのと同じように外出先のテレビ受像機６０を映像表示手段として利用して自宅からの送信映像などを視聴できる。
【０１１５】
テレビ受像機６０の画面サイズは一般に大きいので、迫力ある映像を楽しむことができる。受信装置５０が自宅のＬＡＮ回線内に接続されている場合と、外出先のＬＡＮ回線に接続されている場合とを問わず、簡単に自宅のＬＡＮ回線に接続された送信装置２０とアクセスして通信を確立させることができるから、受信装置５０の使用場所によらず、この情報送受信システム１０を誤りなく利用することができる。
【０１１６】
映像情報に、この映像情報を制御するための複製制御情報などの付随情報が含まれている場合でも、誤りの少ないデータ形式で圧縮伝送できるので、付随情報を正しく再現できると共に、伝送量を差程増やすことなく受信装置５０側に伝送できる。そして付随情報が付加された元の映像信号に再構築できる。
【符号の説明】
【０１１７】
１０・・・情報送受信システム、２０・・・送信装置、５０・・・受信装置、６０・・・テレビ受像機、１１０・・・インターネット回線、８０，１５０・・・ルータ、１００，１４０・・・モデム、２０Ａ・・・映像入力部、２０Ｂ・・・信号処理部（ＭＰＥＧエンコーダ部）、２０Ｃ，５０Ａ・・・ＬＡＮインタフェース部、３５，５２・・・有線ＬＡＮインタフェース部、３６、５３・・・無線ＬＡＮインタフェース部、２０Ｄ、５０Ｃ・・・制御部、５０Ｂ・・・信号処理部（ＭＰＥＧデコーダ部）、５０Ｄ・・・リモートコントロール信号の処理部
【図１】
0005494753.tif 000002
【図２】
0005494753.tif 000003
【図３】
0005494753.tif 000004
【図４】
0005494753.tif 000005
【図５】
0005494753.tif 000006
【図６】
0005494753.tif 000007
【図７】
0005494753.tif 000008
【図８】
0005494753.tif 000009